(57)【要約】【課題】アルカリイオン水発生装置を各施設に設けずにすむランドリーシステムを提供することである。【解決手段】ランドリーシステム（１０）において、強アルカリイオン水給水部と、強アルカリイオン水の給水制御を実行する給水制御手段（６０）と、を備え、給水制御手段（６０）は、強アルカリイオン水が洗濯槽に給水される水よりも先に給水されないように給水制御を実行する。【選択図】図３
2019150411.tif 000002
【特許請求の範囲】
【請求項１】
強アルカリイオン水を洗濯槽に給水するための強アルカリイオン水給水部と、
前記強アルカリイオン水給水部による前記強アルカリイオン水の給水制御を実行する給水制御手段と、
を備え、
前記給水制御手段は、
前記強アルカリイオン水が、前記洗濯槽に給水される水よりも先に給水されないように給水制御を実行する、
ことを特徴とする、ランドリーシステム。
【請求項２】
前記給水制御手段は、
前記水の給水が開始された後、前記強アルカリイオン水給水部による前記強アルカリイオン水の給水を開始するように給水制御を実行する、
ことを特徴とする、請求項１に記載のランドリーシステム。
【請求項３】
前記給水制御手段は、
前記強アルカリイオン水給水部による強アルカリイオン水の給水を、前記水の給水を同時期に開始するように給水制御を実行する、
ことを特徴とする、請求項１に記載のランドリーシステム。
【請求項４】
前記給水制御手段は、
前記水の水量に対して前記給水する前記強アルカリイオン水の水量が設定された給水量設定手段を、備え、
前記給水量設定手段により設定された前記強アルカリイオン水の水量に応じて給水制御を実行する、
ことを特徴とする、請求項１〜３のいずれかに記載のランドリーシステム。
【請求項５】
前記給水制御手段は、
前記強アルカリイオン水の貯留量を検出可能な貯留量検出手段と、前記貯留量検出手段による検出結果を通知する通知手段と、を備える、
ことを特徴とする、請求項１〜４のいずれかに記載のランドリーシステム。
【請求項６】
前記給水制御手段は、
前記水が給水されているか否かを検出可能な給水検出手段を備え、前記通知手段は、前記給水検出手段による検出結果を通知する、
ことを特徴とする、請求項１〜５のいずれかに記載のランドリーシステム。
【請求項７】
洗濯槽と、
強アルカリイオン水を洗濯槽に給水するための強アルカリイオン水給水部と、
水を洗濯槽に給水するための水給水部と、
前記強アルカリイオン水給水部による前記強アルカリイオン水と、前記水給水部による前記水の給水制御とを実行する給水制御手段と、
を備え、
前記給水制御手段は、
前記強アルカリイオン水が、前記洗濯槽に給水される水よりも先に給水されないように給水制御を実行する、
ことを特徴とする、ランドリー機器。
【発明の詳細な説明】
【技術分野】
【０００１】
本発明は、衣類等を洗濯するためのランドリーシステム、ランドリー機器に関する。
【背景技術】
【０００２】
従来、複数のランドリー機器が備えられているコインランドリーで洗濯する際には、洗剤を用いて水洗いをすることで行われている。この際、合成洗剤に使用されている界面活性剤による肌刺激やアレルギーの発症が問題になっている。
また、環境や公害への影響も懸念されている。このため、特許文献１には、洗剤の使用が少量で済むように、食塩水を電気分解から生成したアルカリイオン水と酸性イオン水を用いて環境汚染及び公害問題を低減する洗濯装置が開示されている。
また、特許文献２では、本出願と同一の発明者によって、コインランドリー施設ごとに、アルカリイオン水発生装置を設けたランドリーシステムが開示されている。
【先行技術文献】
【特許文献】
【０００３】
【特許文献１】特開２００３―１４４７９３号公報
【特許文献２】特開２０１５−１８１７６５号公報
【発明の概要】
【発明が解決しようとする課題】
【０００４】
しかしながら、特許文献１に記載の装置では、食塩水タンクを用意し、電気分解のためのイオン水生成器を用意する必要がある。このためアルカリイオン水による周辺機器への腐食の影響やイオン水生成器の設置などの装置の複雑化と巨大化による不利益がある。
【０００５】
また、特許文献２においては、高価なアルカリイオン水発生装置を施設毎に設置する必要が生じてしまうため、コストの点で問題があった。
【０００６】
本発明は、上記課題を鑑み、アルカリイオン水発生装置を各施設に設けずにすむランドリーシステム、ランドリー機器を提供することである。
【課題を解決するための手段】
【０００７】
本発明に係るランドリーシステムは、強アルカリイオン水を洗濯槽に給水するための強アルカリイオン水給水部（強アルカリイオン水給水弁１１２ａ〜１１２ｄ）と、前記強アルカリイオン水給水部による前記強アルカリイオン水の給水制御を実行する給水制御手段（給水制御部６０）と、を備え、前記給水制御手段は、前記強アルカリイオン水が、前記洗濯槽に給水される水よりも先に給水されないように給水制御を実行する（ステップＳ１０８でＹＥＳの場合にステップＳ１１０の処理を実行）、ことを特徴とする。
この特徴によれば、アルカリイオン水発生装置を各施設に設けずにすむランドリーシステムを提供することが可能である。
【０００８】
また、前記給水制御手段は、前記水の給水が開始された後、前記強アルカリイオン水給水部による前記強アルカリイオン水の給水を開始するように給水制御を実行する（ステップＳ１０８でＹＥＳの場合にステップＳ１１０の処理を実行）、ことを特徴とする。
この特徴によれば、水で希釈されていない強アルカリイオン水が直接洗濯槽に給水されることを防止することができる。
【０００９】
また、前記給水制御手段は、前記強アルカリイオン水給水部による強アルカリイオン水の給水を、前記水の給水を同時期に開始するように給水制御を実行する（ステップＳ１０７，１０８の処理を実行せずにステップＳ１１０の処理を実行）、ことを特徴とする。
この特徴によれば、水で希釈されていない強アルカリイオン水が直接洗濯槽に給水されることを防止することができる。
【００１０】
また、前記給水制御手段は、前記水の水量に対して前記給水する前記強アルカリイオン水の水量が設定された給水量設定手段（給水制御部６０）を、備え、前記給水量設定手段により設定された前記強アルカリイオン水の水量に応じて給水制御を実行する（ステップＳ１１１〜ステップＳ１１３の処理）、ことを特徴とする。
この特徴によれば、洗浄に好適なｐＨ値のアルカリイオン水を洗濯槽に給水することが可能である。
【００１１】
また、前記給水制御手段は、前記強アルカリイオン水の貯留量を検出可能な貯留量検出手段（強アルカリイオン水流量計１２２ａ〜１２２ｄ）と、前記貯留量検出手段による検出結果を通知する通知手段（給水制御部６０）と、を備える、ことを特徴とする。
この特徴によれば、強アルカリイオン水の貯留量を把握することが可能である。
【００１２】
また、前記給水制御手段は、前記水が給水されているか否かを検出可能な給水検出手段（水流量計１２１ａ〜１２１ｄ）を備え、前記通知手段は、前記給水検出手段による検出結果を通知する、ことを特徴とする。
この特徴によれば、水が洗濯槽に給水されているか否かを把握することが可能である。
【００１３】
また、本発明に係るランドリー機器７０は、洗濯槽と、強アルカリイオン水を洗濯槽に給水するための強アルカリイオン水給水部（強アルカリイオン水給水弁１１２）と、水を洗濯槽に給水するための水給水部（水給水弁１１１）と、前記強アルカリイオン水給水部による前記強アルカリイオン水と、前記水給水部による前記水の給水制御とを実行する給水制御手段（ランドリー機器制御部７０）と、を備え、前記給水制御手段は、前記強アルカリイオン水が、前記洗濯槽に給水される水よりも先に給水されないように給水制御を実行する（ステップＳ１０８でＹＥＳの場合にステップＳ１１０の処理を実行）、ことを特徴とする。
この特徴によれば、アルカリイオン水発生装置を各施設に設けずにすむコインランドリー機器を提供することが可能である。
【００１４】
なお、前記通知手段は、前記貯留量検出手段による検出結果が予め定められた貯留量である場合、前記貯留部に貯留された前記強アルカリイオン水の貯留量が稼働に支障を及ぼす可能性がある支障貯留量であることを通知するようにしてもよい。
このようにすることによって、強アルカリイオン水の貯留量が限界であること、または、アルカリイオン水が漏れているかも知れないということを把握することが可能である。
【００１５】
なお、前記給水制御手段は、前記支障貯留量である場合、前記強アルカリイオン水給水部による前記強アルカリイオン水の給水制御を実行しないようにしてもよい。
このようにすることによって、洗濯槽に給水されるアルカリイオン水のｐＨ値を安定させることが可能である。
【００１６】
なお、前記給水制御手段は、前記水が給水されていないとの検出結果である場合、前記強アルカリイオン水給水部の給水制御を実行しないようにしてもよい。
このようにすることによって、洗濯槽に強アルカリイオン水のみが給水されることを防止することが可能である。
【発明の効果】
【００１７】
簡単な構成で、アルカリイオン水発生装置を各施設に設けずにすむコインランドリーシステムを提供することが可能となった。
【図面の簡単な説明】
【００１８】
【図１】本発明の実施形態に係るランドリーシステムの構成例を示す図である。
【図２】ランドリーシステムの機能例を示すブロック図である。
【図３】給水制御処理の一例を示すフローチャートである。
【図４】本発明の他の実施形態に係る構成例を示す図である。
【図５】本初枝身の他の実施形態に係る構成例を示す図である。
【発明を実施するための形態】
【００１９】
＜ランドリーシステムの構成＞
まず、本発明の実施形態に係るランドリーシステムの構成について説明する。
図１は、本発明の実施形態に係るランドリーシステムの構成例を示す図である。
図２は、ランドリーシステムの機能例を示すブロック図である。
【００２０】
ランドリーシステム１は、複数のコインランドリー店舗を管理する管理本部に設けられた本部サーバ６４と、この本部サーバ６４と広域通信網６３（代表的にはインターネット）を通じて通信可能に接続され、各コインランドリー店舗２に設けられた強アルカリイオン水給水制御システム１０により構成される（図２参照）。
【００２１】
図１を参照して、各コインランドリー店舗２には、複数のコインランドリー店舗用洗濯機、または、コインランドリー店舗用全自動洗濯乾燥機（以下、これらをランドリー機器という。）１１０ａ〜１１０ｄが設置されている。
本実施形態では、ランドリー機器１１０ａ、１１０ｂは小容量のランドリー機器（例えば、９ｋｇ）とし、ランドリー機器１１０ｃ、１１０ｄは大容量（例えば、１８ｋｇ）のランドリー機器とする。
なお、これらコインランドリー店舗用のランドリー機器等に関する技術については、例えば、特開２００８−１２５８８９号公報や特開２０１０−２６４３０７号公報等に記載された公知技術であるため、ここでの説明は省略する。
【００２２】
そして、例えば、ランドリー機器１１０ａには、洗濯槽に水を給水するための水給水弁１１１ａ、水給水口１１３ａ、各種情報を表示するための情報表示器１１６ａ、ランドリー機器の稼働状態を報知するための状態表示ランプ１１７ａが設けられており、これらの各装置を制御するとともにランドリー機器としての基本機能である貨幣処理、洗浄処理等の制御を実行するランドリー機器制御部７０ａ（図２参照）が設けられている。
なお、他のランドリー機器１１０ｂ〜１１０ｃについてもランドリー機器１１０ａと同様である。
【００２３】
また、各ランドリー機器１１０ａ〜１１０ｄに対応する水給水弁１１１ａ〜１１１ｄには給水管１０１ａ〜１０１ｄが各々連結されており、各給水管１０１ａ〜１０１ｄを通じて水が供給されるようになっている。
水給水弁１１１ａ〜１１１ｄは電磁弁により構成されており、各水給水弁１１１ａ〜１１１ｄは各ランドリー機器制御部７０ａ〜７０ｄと通信可能に接続され、各水給水弁１１１ａ〜１１１ｄの開放・閉鎖は、ランドリー機器制御部７０ａ〜７０ｄにより実行される。
例えば、水給水弁１１１ａは、ランドリー機器制御部７０ａからの開放信号により電磁弁を開放することで、水給水弁１１１ａに対応した水給水口１１３ａから水が洗濯槽に給水される一方、ランドリー機器制御部７０ａからの閉鎖信号により電磁弁を閉鎖することで、洗濯槽への水の給水が停止されるようになっている。他の水給水弁１１１ｂ〜１１１ｄについても同様である。
【００２４】
そして、各情報表示器１１６ａ〜１１６ｄは、ランドリー機器１１０ａ〜１１０ｄを利用する利用者に対する利用案内情報（入金、洗浄コース選択、使用方法等の利用案内）を表示したり、ランドリー機器のメンテナンスを行う管理者に対してメンテナンス情報（各種エラー、稼働詳細、売上額、つり銭残額等の管理情報）を表示したりする表示器であり、各情報表示器１１６ａ〜１１６ｄの表示制御は、各ランドリー機器制御部７０ａ〜７０ｄにより実行される。
【００２５】
また、各状態表示ランプ１１７ａ〜１１７ｄは、ランプの点灯色によりランドリー機器の稼働状態を利用者や管理者に対して報知するものであって、青色は未使用中、緑色は使用中、赤色はエラー中、黄色は強アルカリイオン水の補充が必要であることを示している。
各状態表示ランプ１１７ａ〜１１７ｄの表示制御は、各ランドリー機器制御部７０ａ〜７０ｄにより実行される。
【００２６】
そして、強アルカリイオン水給水制御システム１０を構成する装置の一部として、例えば、ランドリー機器１１０ａに対応して、洗濯槽に強アルカリイオン水を給水するための強アルカリイオン水給水弁１１２ａ、強アルカリイオン水給水口１１４ａ、強アルカリイオン水を貯留するための貯留タンク１１５ａが設けられている。
なお、他のランドリー機器１１０ｂ〜１１０ｃについてもランドリー機器１１０ａと同様である。
【００２７】
また、各コインランドリー店舗２には、強アルカリイオン水給水制御システム１０を構成する装置の一部としてパーソナルコンピュータとモニタ等により構成される給水制御部６０が設けられている（図２参照）。
この給水制御部６０には、設定入力部６１、通信部６２、強アルカリイオン水給水弁１１２ａ〜１１２ｄ、水流量計１２１ａ〜１２１ｄ、強アルカリイオン水流量計１２２ａ〜１２２ｄ、が接続されるとともに、各ランドリー機器制御部７０ａ〜７０ｄと通信可能に接続されている。
【００２８】
＜強アルカリイオン水給水制御システムの構成＞
図１、図２を参照して、本実施形態に係るランドリーシステムにおける強アルカリイオン水給水制御システムについて説明する。
【００２９】
上述したように、強アルカリイオン水給水制御システム１０は、給水制御部６０、設定入力部６１、通信部６２、強アルカリイオン水給水弁１１２ａ〜１１２ｄ、水流量計１２１ａ〜１２１ｄ、強アルカリイオン水流量計１２２ａ〜１２２ｄ（以上、図２参照）、強アルカリイオン水給水弁１１２ａ〜１１２ｄ、強アルカリイオン水給水口１１４ａ〜１１４ｄ、貯留タンク１１５ａ〜１１５ｄ（以上、図１参照）により構成される。
【００３０】
まず、給水制御部６０は、強アルカリイオン水の給水統括処理を実行するためのプログラムが搭載されたパーソナルコンピュータと各種表示を行うモニタとにより構成されている。
この給水統括処理を実行するためのプログラムは、各ランドリー機器１１０ａ〜１１０ｄに対し強アルカリイオン水の給水を実行するための給水制御処理、各ランドリー機器１１０ａ〜１１０ｄに対する強アルカリイオン水の１回の給水量を設定するための給水設定処理、店舗における強アルカリイオン水の使用量や各貯留タンク１１５ａ〜１１５ｄの強アルカリイオン水の残量等を本部サーバ６４に送信するための給水情報処理等を含む各種プログラムにより構築されている。
なお、給水制御処理の詳細ついては図３を用いて後述する。
【００３１】
次に、各貯留タンク１１５ａ〜１１５ｄは、強アルカリイオン水を貯留するためのタンクであり、本実施形態では、ｐＨ１３．１の強アルカリイオン水を２０リットル貯留することができるようになっている。そして、強アルカリイオン水が空になった（もしくは、限界量に達した）貯留タンクはメンテナンス者によって新たな貯留タンクに交換されるようにしている。
なお、各貯留タンク１１５ａ〜１１５ｄの容量は、例えばランドリー機器１１０ａであれば２０リットルとする一方、ランドリー機器１１０ｃであれば４０リットルとする等、対応するランドリー機器の洗浄容量の大小に応じて変更するようにしてもよい。
【００３２】
また、各貯留タンク１１５ａ〜１１５ｄには強アルカリイオン水給水弁１１２ａ〜１１２ｄが各々連結されており、各貯留タンク１１５ａ〜１１５ｄに貯留された強アルカリイオン水は各強アルカリイオン水給水弁１１２ａ〜１１２ｄを通じて各洗濯槽に供給されるようになっている。
そして、強アルカリイオン水給水弁１１２ａ〜１１２ｄは電磁弁により構成されており、各強アルカリイオン水給水弁１１２ａ〜１１２ｄの開放・閉鎖は、給水制御部６０により実行される。
例えば、強アルカリイオン水給水弁１１２ａは、給水制御部６０からの開放信号により電磁弁を開放することで、強アルカリイオン水給水弁１１２ａに対応した強アルカリイオン水給水口１１４ａからランドリー機器１１０ａの洗濯槽に強アルカリイオン水が給水される一方、給水制御部６０からの閉鎖信号により電磁弁を閉鎖することで強アルカリイオン水の給水が停止されるようになっている。他のアルカリイオン水給水弁１１２ｂ〜１１２ｄについても同様である。
【００３３】
また、各水流量計１２１ａ〜１２１ｄは電磁式流量計により構成され、各水給水弁１１１ａ〜１１１ｄの入口側近傍の給水菅１０１ａ〜１０１ｄの各々に取り付けられている。各水流量計１２１ａ〜１２１ｄにより各給水管１０１ａ〜１０１ｄ内を流れる水の流量を測定（水が流れている状態であるか否か、水の流量が何立方メートル／ｈであるかを測定）することができる。
【００３４】
また、各強アルカリイオン水流量計１２２ａ〜１２２ｄは、電磁式流量計により構成され、各強アルカリイオン水給水弁１１２ａ〜１１２ｄの入口側近傍の強アルカリイオン水給水菅（図示せず）に取り付けられており、各貯留タンク１１５ａ〜１１５ｄから強アルカリイオン水給水管を流れる強アルカリイオン水の流量を測定する（強アルカリイオン水が流れている状態であるか否か、強アルカリイオン水の流量が何立方メートル／ｈであるかを測定）ことができる。
【００３５】
そして、設定入力部６１は、各種設定情報を給水制御部６０に入力するためのキーボードやマウス等によって構成される。
通信部６２は、インターネット等の通信網６３を介して本部サーバ６４へ各種情報を送信するとともに、本部サーバ６４からの各種情報を受信する。
【００３６】
＜アルカリイオン水の生成＞
ここで、本実施形態におけるアルカリイオン水の生成について説明する。
本実施形態では、上述したように、ｐＨ１３．１の強アルカリイオン水が貯留タンク（例えば、１１５ａ）に貯留されており、貯留された強アルカリイオン水を洗濯槽（例えば、ランドリー機器１１０ａの洗濯槽）に給水するとともに、この洗濯槽に水を給水することによって、この洗濯槽内で強アルカリイオン水を５０倍に希釈して、衣類等の洗浄に適した約ｐＨ１１．５のアルカリイオン水を生成しようとするものである。
よって給水制御部６０は、各ランドリー機器１１０ａ〜１１１ｄの各洗濯槽内で生成されるアルカリイオン水の濃度が約ｐＨ１１．５となるように強アルカリイオン水の給水制御を実行する。
【００３７】
なお、本実施形態では、各ランドリー機器１１０ａ〜１１０ｄにおける水の給水制御はランドリー機器制御部７０ａで実行されるようになっている。
したがって、給水制御部６０は、各ランドリー機器１１０ａ〜１１１ｄの各洗濯槽内に強アルカリイオン水を給水する給水制御を実行する。
ここでの給水制御は、約ｐＨ１１．５のアルカリイオン水を生成するため、１３．１ｐＨの強アルカリイオン水の給水量＝１に対して、水の給水量＝５０となるように強アルカリイオン水の給水制御が実行されることとなる。
【００３８】
＜強アルカリイオン水の給水設定処理＞
次に給水制御部６０により実行される強アルカリイオン水の給水設定処理について説明する。
例えば、コインランドリー店舗２にランドリー機器１１０ａ〜１１０ｄが新たに設置されたと仮定する。
そして、ランドリー機器１１０ａ〜１１０ｄの各々に対応した、強アルカリイオン水給水弁１１２ａ〜１１２ｄ、水流量計１２１ａ〜１２１ｄ、強アルカリイオン水流量計１２２ａ〜１２２ｄ（以上、図２参照）、強アルカリイオン水給水弁１１２ａ〜１１２ｄ、強アルカリイオン水給水口１１４ａ〜１１４ｄ、貯留タンク１１５ａ〜１１５ｄ（以上、図１参照）が取り付けられ、給水制御部６０、設定入力部６１、通信部６２が設置されたと仮定する。
【００３９】
また、給水制御部６０による強アルカリイオン水給水弁１１２ａ〜１１２ｄおよび強アルカリイオン水給水弁１１２ａ〜１１２ｄの動作確認、給水制御部６０と水流量計１２１ａ〜１２１ｄおよび強アルカリイオン水流量計１２２ａ〜１２２ｄとの通信確認が完了していると仮定する。
【００４０】
また、各ランドリー機器の洗濯容量は、ランドリー機器１１０ａ（ランドリー機器ＩＤ＝０１とする。）、１１０ｂ（ランドリー機器ＩＤ＝０２とする。）が１０ｋｇであり、ランドリー機器１１０ｃ（ランドリー機器ＩＤ＝０３とする。）、１１０ｄ（ランドリー機器ＩＤ＝０４とする。）が１８ｋｇであると仮定する。また、ランドリー機器１１０ａ、１１０ｂについては洗濯時の必要アルカリイオン水量が５０リットルであり、ランドリー機器１１０ｃ、１１０ｄについては洗濯時の必要アルカリイオン水量が８０リットルであると仮定する。
【００４１】
この場合、ランドリー機器１１０ａ（ランドリー機器ＩＤ＝０１）、１１０ｂ（ランドリー機器ＩＤ＝０２）には、強アルカリイオン水が０．９８リットル（０．０００９８立方メートル）給水され（水が４９リットル（０．０４９立方メートル）給水される）、ランドリー機器１１０ｃ（ランドリー機器ＩＤ＝０３）、１１０ｄ（ランドリー機器ＩＤ＝０４）には、強アルカリイオン水が１．５７リットル（０．００１５７立方メートル）給水され（水が７８．５リットル（０．０７８５立方メートル）給水される）こととなる。
【００４２】
本実施形態では、各強アルカリイオン水給水弁１１２ａ〜１１２ｄの口径は２０ｍｍであって、毎分１リットル（０．００１立方メートル）の強アルカリイオン水が給水できるものであり、水の給水量に比べて給水速度は遅くしている。
なお、各強アルカリイオン水給水弁１１２ａ〜１１２ｄの口径はこれに限られるものではなく、また、毎分の強アルカリイオン水の給水量についてもこれに限られるものではない。
【００４３】
各ランドリー機器１１０ａ〜１１０ｄに給水する強アルカリイオン水の給水量を設定する管理者は、設定入力部６１を操作して、給水制御部６０のモニタに表示されたメインメニュー画面の中から初期設定メニュー画面を選択する。
この初期設定メニュー画面には、各ランドリー機器１１０ａ〜１１０ｄの各ＩＤ番号（ＩＤ＝０１〜０４）に対応付けて、給水量を入力する給水量入力欄があり、管理者はＩＤ番号毎に給水させる強アルカリイオン水の給水量の入力（例えば、ＩＤ＝１，２に対応付けて０．０００９８、ＩＤ＝３，４に対応付けて０．００１５７と入力）を行う。全ての入力が完了し「登録」キーをクリックすると各ランドリー機器１００ａ〜１１０ｄに対する強アルカリイオン水の給水量が設定登録される。
【００４４】
＜給水制御処理＞
次に給水制御部６０により実行される強アルカリイオン水の給水制御処理について説明する。
図３は給水制御処理の一例を示すフローチャートである。
【００４５】
本実施形態における強アルカリイオン水の給水制御処理の特徴としては、水が洗濯槽に給水されていることを確認してから強アルカリイオン水の給水を開始することである。
このようにすることによって、洗濯槽内の衣類等に強アルカリイオン水のみが付着して衣類等が痛むことを極力防止することが可能である。
【００４６】
また、本実施形態における強アルカリイオン水の給水制御処理の特徴としては、洗濯槽への水の給水速度（流量）に比べて強アルカリイオン水の給水速度（流量）を遅くしていることである。
このようにすることによって、洗濯槽内の衣類等にアルカリ濃度が高いアルカリイオン水が付着して衣類等が痛むことを極力防止することが可能である。
【００４７】
まず、ステップＳ１０１において給水制御部６０は、各強アルカリイオン水給水弁１１２ａ〜１１２ｄのうち、エラーが発生している強アルカリイオン水給水弁があるか否かを判定する。
エラーが発生している強アルカリイオン水給水弁があると判定した場合は、ステップＳ１０２に進み、エラーが発生している強アルカリイオン水給水弁がないと判定した場合は、ステップＳ１０３に進む。
【００４８】
ステップＳ１０２において給水制御部６０は、エラー処理１を実行する。このエラー処理１は強アルカリイオン水給水弁に関するエラー処理であって、後述するように給水制御部６０が強アルカリイオン水給水弁を開放していないにも関わらず強アルカリイオン水が給水されている（つまり強アルカリイオン水給水弁の故障の疑いがある）場合にエラーであると判定し、エラーと判定した場合、ランドリー機器１１０ａ〜１１０ｄのうち何れのランドリー機器に対応する強アルカリイオン水給水弁がエラーであるかを給水制御部６０のモニタに表示するとともに、このエラーが発生しているランドリー機器のランドリー機器制御部に対して強アルカリイオン水給水弁エラーが発生していることを示すエラー１情報を送信する。
なお、エラー発生中の強アルカリイオン水給水弁の修理または交換等により正常動作が確認されると、エラーが解除される（給水制御部６０による自動解除または、メンテナンス者による手動解除）。
このエラー処理１を終了するとステップＳ１０６に進む。
【００４９】
また、エラー１情報を受信したランドリー機器制御部７０ａ〜７０ｄは、対応する情報表示器１１６ａ〜１１６ｄに強アルカリイオン水給水弁エラーが発生していることを例えば、「エラー１：強アルカリイオン水給水弁を確認してください。」等の文字表示により表示するとともに、対応する状態表示ランプ１１７ａ〜１１７ｄにおいてエラー発生中であることを示す赤色点灯を行う。
なお、エラー発生中の強アルカリイオン水給水弁の修理または交換等により正常動作が確認されると、給水制御部６０からエラー１情報が送信されなくなるため、ランドリー機器制御部７０ａ〜７０ｄは情報表示器１１６ａ〜１１６ｄ、状態表示ランプ１１７ａ〜１１７ｄにおけるエラー表示を終了する。
【００５０】
ステップＳ１０３において給水制御部６０は、各ランドリー機器１１０ａ〜１１０ｄに対応した各強アルカリイオン水流量計１２２ａ〜１２２ｄの確認を行う。
【００５１】
ステップＳ１０４において給水制御部６０は、各強アルカリイオン水流量計１２２ａ〜１２２ｄのうち流量に変化がある（つまり、強アルカリイオン水が流れている）強アルカリイオン水流量計があるか否かを判定する。
流量に変化がある強アルカリイオン水流量計があった場合はステップＳ１０５に進み、流量に変化がある強アルカリイオン水流量計がなかった場合はステップＳ１０６に進む。
【００５２】
ステップＳ１０５において給水制御部６０は、流量に変化がある強アルカリイオン水流量計は、給水制御部６０が当該強アルカリイオン水給水弁を開放したにより給水中であるか否かを判定する。
【００５３】
ステップＳ１０６において給水制御部６０は、ランドリー機器制御部７０ａ〜７０ｄの何れかから強アルカリイオン水の給水指示があったか否かを判定する。給水指示があった場合ステップＳ１０７に進み、給水指示がない場合はステップＳ１１０に進む。
【００５４】
ステップＳ１０７において給水制御部６０は、給水指示を受けたランドリー機器に対応した水の流量計を確認し、ステップＳ１０８に進む。
【００５５】
ステップＳ１０８において給水制御部６０は、給水指示を受けたランドリー機器に対応した水の流量計の流量に変化があるか（つまり、水が流れている）否かを判定する。
水の流量計の流量に変化がある場合はステップＳ１１０に進み、水の流量計の流量に変化がなかった場合はステップＳ１０９に進む。
【００５６】
ステップＳ１０９において給水制御部６０は、エラー処理２を実行する。このエラー処理２は、ランドリー機器が有する水給水弁に関するエラー処理、および、水給水弁に対する水の給水に関するエラー処理であって、給水されるはずの水が給水されていない（つまり水給水弁の故障、または、水が水給水弁に給水されていない疑いがある）場合にエラーであると判定し、エラーと判定した場合、ランドリー機器１１０ａ〜１１０ｄのうち何れのランドリー機器に対応する水給水弁がエラーであるかを給水制御部６０のモニタに表示するとともに、このエラーが発生しているランドリー機器のランドリー機器制御部に対して水給水弁エラーが発生していることを示すエラー２情報を送信する。
なお、エラー発生中の水給水弁の修理または交換等により正常動作が確認されると、エラーが解除される（給水制御部６０による自動解除または、メンテナンス者による手動解除）。
【００５７】
また、エラー２情報を受信したランドリー機器制御部７０ａ〜７０ｄは、対応する情報表示器１１６ａ〜１１６ｄに水給水弁エラーが発生していることを例えば、「エラー２：水給水弁を確認してください。」等の文字表示により表示するとともに、対応する状態表示ランプ１１７ａ〜１１７ｄにおいてエラー発生中であることを示す赤色点灯を行う。
なお、エラー発生中の水給水弁の修理または交換等により正常動作が確認された場合、または、水給水弁への水が供給されると、給水制御部６０からエラー２情報が送信されなくなるため、ランドリー機器制御部７０ａ〜７０ｄは情報表示器１１６ａ〜１１６ｄ、状態表示ランプ１１７ａ〜１１７ｄにおけるエラー表示を終了する。
【００５８】
ステップＳ１１０において給水制御部６０は、給水指示があったランドリー機器制御部に対応した強アルカリイオン水給水弁を開放して、ステップＳ１１１に進む。例えば、ランドリー機器制御部７０ａから給水指示があった場合、給水制御部６０は強アルカリイオン水給水弁１１２ａを開放する。
【００５９】
ステップＳ１１１において給水制御部６０は、開放した強アルカリイオン水給水弁に対応した強アルカリイオン水流量計における流量を計測する。
上述したように、本実施形態では、ランドリー機器１１０ａ（ランドリー機器ＩＤ＝０１）、１１０ｂ（ランドリー機器ＩＤ＝０２）には、強アルカリイオン水が０．９８リットル（０．０００９８立方メートル）給水され、ランドリー機器１１０ｃ（ランドリー機器ＩＤ＝０３）、１１０ｄ（ランドリー機器ＩＤ＝０４）には、強アルカリイオン水が１．５７リットル（０．００１５７立方メートル）給水される。
【００６０】
ステップＳ１１２において給水制御部６０は、強アルカリイオン水の給水開始時の流量計の数値から予め設定された設定流量（例えば、ランドリー機器ＩＤ＝１，２ならば０．０００９８立方メートル、ランドリー機器ＩＤ＝３，４ならば０．００１５７立方メートルを加算した流量）に達したか否かを判定する。
設定流量に達したと判定した場合はステップＳ１１３に進み、設定流量に達していないと判定した場合はステップＳ１１１に進み流量の計測を継続する。
【００６１】
ステップＳ１１３において給水制御部６０は、設定流量に達したランドリー機器に対応した強アルカリイオン水給水弁を閉鎖した後、この給水制御処理を終了する。
【００６２】
なお、この給水制御処理はランドリー機器ＩＤ＝１〜４についての処理がマルチタスクなどの制御方法で実行していくため、例えば、ランドリー機器ＩＤ＝２において上述したエラー処理１を実行中であっても、他のランドリー機器の給水制御処理は実行可能であり、また、ランドリー機器ＩＤ＝１〜４において同時期に強アルカリイオン水を各々の流量を計測しながら適量給水することも可能である。
【００６３】
また、本実施形態では２０リットルの強アルカリイオン水が初期貯留された貯留タンク１１５ａ〜１１５ｄを交換して使用するようにしている。そして、新たな貯留タンクに交換する際に、それまでの強アルカリイオン水流量計が記憶している累積流量値を０クリア（手動でクリアや貯留タンクの交換を検知して自動でクリア）する。給水制御部６０は、貯留タンク交換後、強アルカリイオン水流量計１２２ａ〜１２２ｄにより新たに計測される累積流量値を給水制御部６０は記憶することによって、各貯留タンク１１５ａ〜１１５ｄの現在の貯留残量を特定する。
【００６４】
特定された各貯留タンク１１５ａ〜１１５ｄの強アルカリイオン水の貯留残量は、モニタに表示されるとともに、通信部６２により本部サーバ６４に常時通知するようにしている。
したがって、各コインランドリー店舗２においては店舗内に設けられた各貯留タンク１１５ａ〜１１５ｄの現在の強アルカリイオン水の貯留残量を確認することが可能であるとともに、コインランドリー本部では、全コインランドリー店舗に設けられた全貯留タンクの現在の強アルカリイオン水の貯留残量を確認することが可能である。
【００６５】
なお、貯留タンク１１５ａ、１１５ｂでは強アルカリイオン水の貯留残量が２リットル、貯留タンク１１５ｃ、１１５ｄでは強アルカリイオン水の貯留残量が３．２リットル、つまり残り２回分の貯留残量となった場合、この貯留タンクに対応したランドリー機器のランドリー機器制御部に対して給水制御部６０は貯留残量が少なくなったことを示す貯留少情報を送信する。そして、この貯留少情報を受信したランドリー機器制御部は状態表示ランプを黄色点灯させる。
【００６６】
＜他の実施形態＞
上述した給水制御処理では、水が給水されていることを確認してから強アルカリイオン水の給水を開始するようにしていたが、これに限らず、各ランドリー機器制御部７０ａ〜７０ｄから給水指示を受信したときに強アルカリイオン水の給水を開始するようにしてもよい。
ただし、このようにした場合、強アルカリイオン水の給水開始後において水の流量を確認するし、水が給水されていないことを確認した場合は直ちに強アルカリイオン水の給水を停止させるようにするのが好ましい。
【００６７】
また、上述したランドリーシステムにおいては、強アルカリイオン水を貯留するための貯留タンクを各ランドリー機器１１０ａ〜１１０ｄと一対一対応で設けるようにしていたが、これに限らず、図４に示すように、各コインランドリー店舗２に対して１つの貯留タンク１１５を設け、この貯留タンク１１５から各ランドリー機器１１０ａ〜１１０ｄに対応する強アルカリイオン水給水弁１１２ａ〜１１２ｄに強アルカリイオン水を給水するようにしてもよく、また、複数のランドリー機器に対応して貯留タンクを設ける（例えば、ランドリー機器１１０ａと１１０ｂに対応する貯留タンクと、ランドリー機器１１０ｃと１１０ｄに対応する貯留タンク）ようにしてもよい。
【００６８】
また、上述したランドリーシステムにおいては、各ランドリー機器１１０ａ〜１１０ｄには水給水弁１１１ａ〜１１１ｄ、情報表示器１１６ａ〜１１６ｄ、状態表示ランプ１１７ａ〜１１７ｄが元々設けられており、これらの制御はランドリー機器制御部７０ａ〜７０ｄにより実行されており、給水制御部６０における制御対象ではなかった。
しかしながら、これに限らず、図５に示すようにランドリー機器１１０に水給水弁１１１、強アルカリイオン水給水弁１１２、強アルカリイオン水給水口１１４、貯留タンク１１５、情報表示器１１６、状態表示ランプ１１７、水流量計１２１、強アルカリイオン水流量計１２２、を設けるようにしてもよい。
そして、このようにした場合、ランドリー機器制御部７０に給水制御部６０の制御機能を併せ持つようにし、設定入力部６１、通信部６２をランドリー機器制御部７０により制御するようにしてもよい。
【符号の説明】
【００６９】
１          ：ランドリーシステム
２          ：コインランドリー店舗
１０        ：強アルカリイオン水給水制御システム
６０        ：給水制御部
６２        ：設定入力部
６２        ：通信部
６３        ：通信網
６４        ：本部サーバ
７０、７０ａ〜７０ｄ：ランドリー機器制御部
１１０、１１０ａ〜１１０ｄ：ランドリー機器
１１１、１１１ａ〜１１１ｄ：水給水弁
１１２、１１２ａ〜１１２ｄ：強アルカリイオン水給水弁
１１３、１１３ａ〜１１３ｄ：水給水口
１１４、１１４ａ〜１１４ｄ：強アルカリイオン水給水口
１１５、１１５ａ〜１１５ｄ：貯留タンク
１１６、１１６ａ〜１１６ｄ：情報表示器
１１７、１１７ａ〜１１７ｄ：状態表示ランプ
【図１】
2019150411.tif 000003
【図２】
2019150411.tif 000004
【図３】
2019150411.tif 000005
【図４】
2019150411.tif 000006
【図５】
2019150411.tif 000007